(57)【要約】【課題】吸引時の冷却空気の流れを改善すると共に、吸気口から水が入っても回路基板等に水の流入を防止できる電磁誘導加熱調理器を提供する。【解決手段】モーターケース１２、１４と、モーターケース１２、１４に貫通穴１４ｂの軸心を略中心として設けられたモーター１３と、モーターケース１２、１４の貫通穴１４ｂの外側に配置され、モーター１３の回転軸に取り付けられたシロッコファン１５と、モーターケース１２、１４にシロッコファン１５が回転可能に収納されて装着され、内部に回路基板２４が収納された基板収納ケース２１と、モーターケース１２、１４の吸引側に上方に延びて設けられた上向きの吸気口を有する吸気ダクト１２ｃ、１４ｃとを備え、吸気ダクト１２ｃ、１４ｃは、シロッコファン１５側の側板がモーターケース１２、１４に向かうに連れ、対向する側板側に傾斜（傾斜部１４ｇ）している。【選択図】図１
2012028065.tif 000002
【特許請求の範囲】
【請求項１】
片面に貫通穴を有し、さらに、内部に排水溝を有するモーターケースと、
前記モーターケースに前記貫通穴の軸心を略中心として設けられたモーターと、
前記モーターケースの貫通穴の外側に配置され、前記モーターの回転軸に取り付けられたファンと、
前記モーターケースに前記ファンが回転可能に収納されて装着され、内部に回路基板が収納された基板収納ケースと、
前記モーターケースの吸引側に上方に延びて設けられ、当該モーターケース内と連通する上向きの吸気口を有する吸気ダクトとを備え、
前記吸気ダクトは、前記ファン側の側板が前記モーターケースに向かうに連れ、対向する側板側に傾斜していることを特徴とする電磁誘導加熱調理器。
【請求項２】
前記モーターケースの前記吸気口と対向する面が内側にカーブあるいは傾斜していることを特徴とする請求項１記載の電磁誘導加熱調理器。
【発明の詳細な説明】
【技術分野】
【０００１】
本発明は、加熱コイルにより被加熱物を誘導加熱する電磁誘導加熱調理器に関するものである。
【背景技術】
【０００２】
従来の電磁誘導加熱調理器には、冷却ファンにより、吸気ダクトを介して吸引した冷却空気を加熱コイル、回路基板等に送り込んで、冷却するものがある（例えば、特許文献１参照）。
【先行技術文献】
【特許文献】
【０００３】
【特許文献１】特開２００５−５０７１６号公報（第４頁、図２）
【発明の概要】
【発明が解決しようとする課題】
【０００４】
前述した従来の電磁誘導加熱調理器の吸気ダクトは、吸気口が上向きで、吸気口から鉛直方向に延びて略直角に折れ曲がって冷却ファンの吸込口と連結されている。このような吸気ダクトにおいては、使用者が誤って多量の水を吸気口に流した場合には、その水は、吸気ダクト内を落下して水平面で弾けて冷却ファンにより吸引され、飛散した状態で回路基板に流入し、回路基板の故障の原因となる虞があった。また、吸気ダクトが略直角に折れ曲がっているため、その部分が曲がり圧損となり冷却空気の吸引効率が低下する。
【０００５】
本発明は、前述のような課題を解決するためになされたものであり、吸引時の冷却空気の流れを改善すると共に、吸気口から水が入っても回路基板等に水の流入を防止できる電磁誘導加熱調理器を得ることを目的とする。
【課題を解決するための手段】
【０００６】
本発明に係る電磁誘導加熱調理器は、片面に貫通穴を有し、さらに、内側に排水溝を有するモーターケースと、モーターケースに貫通穴の軸心を略中心として設けられたモーターと、モーターケースの貫通穴の外側に配置され、モーターの回転軸に取り付けられたファンと、モーターケースにファンが回転可能に収納されて装着され、内部に回路基板が収納された基板収納ケースと、モーターケースの吸引側に上方に延びて設けられ、そのモーターケース内と連通する上向きの吸気口を有する吸気ダクトとを備え、吸気ダクトは、ファン側の側板がモーターケースに向かうに連れ、対向する側板側に傾斜している。
【発明の効果】
【０００７】
本発明によれば、モーターケースの吸引側に設けられた吸気ダクトは、ファン側の側板がモーターケースに向かうに連れ、対向する側板側に傾斜しているので、誤って吸気口に水が流れ込んだとしても、水の弾けもなくスムースに排水溝に流れる。そのため、ファンの回転による基板収納ケース内への水の流入を防止できる。また、吸気口から吸引された空気の曲がり圧損がないため、吸気効率を上げることができる。
【図面の簡単な説明】
【０００８】
【図１】実施の形態に係る電磁誘導加熱調理器のトッププレート及び加熱源を取り外した状態を示す調理器本体の斜視図である。
【図２】実施の形態の電磁誘導加熱調理器における冷却用ファン装置、基板収納ケース及び冷却ダクトを示す斜視図である。
【図３】図２の冷却用ファン装置及び基板収納ケースを分解して示す斜視図である。
【図４】図２の冷却用ファン装置を拡大して示す外観斜視図である。
【発明を実施するための形態】
【０００９】
図１は実施の形態に係る電磁誘導加熱調理器のトッププレート及び加熱源を取り外した状態を示す調理器本体の斜視図、図２は実施の形態の電磁誘導加熱調理器における冷却用ファン装置、基板収納ケース及び冷却ダクトを示す斜視図である。
調理器本体１の本体ケース２は、図１に示すように、上部に開口を有する矩形状に形成されている。その上部開口は、トッププレートによって覆われる構成となっている。本体ケース２の内部には、両側に前後方向に長く延びる上下仕切板３Ｒ、３Ｌと、上下仕切板３Ｒ、３Ｌの間の全体を上下２つの空間に区画する水平仕切板４と、水平仕切板４の後端部から上方に直角に折り曲げられて両端が上下仕切板３Ｒ、３Ｌに当接する後部仕切板５とが設けられている。左右の上下仕切板３Ｒ、３Ｌには、それぞれ上部に切欠部３ａ、３ｂが設けられている。その切欠部３ａ、３ｂは、後述する冷却ダクトを水平に設置する際にそれと衝突しないようにするためである。後部仕切板５には、２つの排気穴５ａが設けられている。
【００１０】
これら仕切板によって区画された各空間は、右冷却室６Ｒ及び左冷却室６Ｌと、上部部品室７と、排気室８を形成している。これら各室は、互いに完全に隔絶されている訳ではなく、例えば、右冷却室６Ｒ及び左冷却室６Ｌと上部部品室７は、切欠部３ａ、３ｂによって連通しており、上部部品室７と排気室８は、２つの排気穴５ａによって連通している。水平仕切板４の上方には例えば３つの加熱コイルが配置され、その下方の空間には、グリル加熱室９が設けられている。グリル加熱室９は、グリル扉９ａが閉じられた状態では、略独立した密閉空間になっているが、排気ダクト９ｂを介して本体ケース２の外部空間、つまり台所等の室内空間に連通している。
【００１１】
前述した右冷却室６Ｒ及び左冷却室６Ｌには、図２に示すように、冷却用ファン装置１１とそのファン装置１１と連結された基板収納ケース２１が収納されて固定される。基板収納ケース２１の上部に設けられた２つの冷却空気排出口２２ｃ、２２ｄは、前述した冷却ダクト３１と連結される。冷却ダクト３１は、上下仕切板３Ｒ、３Ｌの切欠部３ａ、３ｂを跨いだ状態で水平仕切板４に設置される。その冷却ダクト３１は、例えば、プラスチックの一体成形品である上ケースと、同じくプラスチック製の一体成形品である下ケースとが重ね合わせられてネジで固定されたものである。上ケースの上面には、上方の加熱コイルに冷却空気を吹き付けるための複数の噴出口３１ａと、液晶表示装置等の電子部品に冷却空気を送り込むための四角形の通風口３１ｂが設けられている。
【００１２】
次に、冷却用ファン装置１１及び基板収納ケース２１の構成について図３、図４を用いて説明する。
図３は図２の冷却用ファン装置及び基板収納ケースを分解して示す斜視図、図４は図２の冷却用ファン装置を拡大して示す外観斜視図である。
冷却用ファン装置１１は、モーターケース１２、１４と、モーター１３と、シロッコファン１５とが組み合わされて構成されている。前述のモーターケース１２、１４及びシロッコファン１５は、例えばプラスチックによって成形されている。
【００１３】
モーターケース１２は、片側に略円形の開口部１２ｂを有する円筒状風路部１２ａと、開口部１２ｂ側から見て円筒状風路部１２ａの片側（吸引側）から上方に延びて構成され、円筒状風路部１２ａと連通する開口部１２ｂ側が開放の吸気部１２ｃとで構成されている。円筒状風路部１２ａの最下位の面には、開口部１２ｂ側に延びる排水溝１２ｄが設けられている。その排水溝１２ｄは、もう一方のモーターケース１４側の面が開放された状態となっている。
【００１４】
モーターケース１４は、円筒状風路部１２ａの開口部１２ｂの軸心を略中心とする円形の貫通穴１４ｂを有し、円筒状風路部１２ａに嵌合する吸引風路部１４ａと、吸引風路部１４ａの前記吸気部１２ｃと対向する片側（吸引側）から上方に延びて構成され、円筒状風路部１２ａと連通する吸気部１２ｃ側が開放の吸気部１４ｃと、吸引風路部１４ａの吸気部１４ｃから略直角方向に延びるもう一方の片側に設けられた板状のカバー１４ｄと、吸引風路部１４ａの貫通穴１４ｂにその貫通穴１４ｂの軸心を略中心として配置され、貫通穴１４ｂの周縁部に固定された３つの支持部材１４ｅにより支持されたモーター支持板１４ｆとで構成されている。
【００１５】
吸引風路部１４ａの吸気部１４ｃの開放側と対向する側板には、下方に向かうに連れて開放側に傾斜する傾斜部１４ｇが設けられている。モーター支持板１４ｆには、中心に設けられた穴を回転軸１３ａが貫通してモーター１３が固定される。回転軸１３ａにはシロッコファン１５が取り付けられる。
【００１６】
モーターケース１４の吸引風路部１４ａに設けられたモーター支持板１４ｆにモーター１３を固定し、そのモーター１３の回転軸１３ａにシロッコファン１５を取り付けた後、モーターケース１４のシロッコファン１５の反対側をモーターケース１２で閉鎖するように一体に組み合わせ、ネジ等の固定具で結合すると、図４に示すような冷却用ファン装置１１が組み立てられる。冷却用ファン装置１１が組み立てられたとき、モーターケース１２側の吸気部１２ｃとモーターケース１４側の吸気部１４ｃとで上向きの吸気口１１ｂを有する吸気ダクト１１ａが構成される。
【００１７】
前述の基板収納ケース２１は、例えば、２つのプラスチック製の半箱状のケース２２、２３を組み合わせ、ネジ等の固定具で結合することで、一体構造物として形成される。２つのケース２２、２３のうち、一方のケース２２には、冷却用ファン装置１１のシロッコファン１５を覆う環状のファンカバー２２ａと、ファンカバー２２ａの周面にシロッコファン１５側が開放の開口部２２ｂとが設けられている。冷却用ファン装置１１の吸引風路部１４ａにケース２２を組み付けた際に、シロッコファン１５がファンカバー２２ａにより覆われ、吸引風路部１４ａに設けられた板状のカバー１４ｄとケース２２の開口部２２ｂとで基板収納ケース２１内に冷却空気を吹き出す吹出口が形成される。
【００１８】
また、ケース２２の上面には、シロッコファン１５からの冷却空気の流れる方向に沿って２つの冷却空気排出口２２ｃ、２２ｄが設けられている。冷却空気排出口２２ｄは、基板収納ケース２１において冷却空気の流れの最も下流側にあり、冷却空気排出口２２ｃよりも大きな開口面積を有している。これらの排出口２２ｃ、２２ｄは、前述した冷却ダクト３１と連結される（図２参照）。
【００１９】
また、２つのケース２２、２３が組み合わされた基板収納ケース２１には、加熱コイルに所定の高周波電力を供給するインバータ回路が実装された回路基板２４が収納される。なお、この回路基板２４には、インバータ回路の部分と離して冷却用ファン装置１１のモーター１３を駆動する電源・駆動回路も一緒に実装されている。
【００２０】
冷却用ファン装置１１と基板収納ケース２１が一体に組み立てられたものは、冷却ユニットとして右冷却室６Ｒ及び左冷却室６Ｌに収納されて固定される。冷却用ファン装置１１の吸気口１１ｂは、本体ケース２の背面側に配置される。
【００２１】
前記のように構成された電磁誘導加熱調理器において、調理器本体１を使用しているとき冷却用ファン装置１１が駆動し、室内の空気を冷却空気として吸気口１１ｂから吸引をする。吸気口１１ｂに吸引された冷却空気は、吸気ダクト１１ａを通って円筒状風路部１２ａ内に吸引される。その場合、吸気ダクト１１ａに傾斜部１４ｇを設けているので、円筒状風路部１２ａ内にスムースに流れる。その冷却空気は、吸引風路部１４ａの貫通穴１４ｂを通過し、旋回流となって基板収納ケース２１内に送り込まれる。つまり、図４の矢印に示すように、鉛直方向から吸引した冷却空気を略直角に水平方向に送り出すようにしている。
【００２２】
例えば、調理器本体１の使用中にトッププレートの上面に水を流してしまい、その水が吸気口１１ｂに流入した場合には、その水は、吸気ダクト１１ａ内を通って円筒状風路部１２ａ内の吸気口１１ｂと対向するカーブ面に当たり、排水溝１２ｄに流れる。その場合、円筒状風路部１２ａ内の水が当たる面が内側にカーブしているため弾けることなく排水溝１２ｄに流れる。また、吸気ダクト１１ａは、シロッコファン１５側の側板に傾斜部１４ｇが設けられているので、その方向から流入した水は、弾けることなく傾斜部１４ｇに沿って下方に流れ、円筒状風路部１２ａ内のカーブ面に至って排水溝１２ｄに流れる。
【００２３】
以上のように実施の形態においては、吸気ダクト１１ａのシロッコファン１５側の側板に傾斜部１４ｇを設け、モーターケース１２の円筒状風路部１２ａの吸気口１１ｂと対向する面が内側にカーブしている。これにより、誤って吸気口１１ｂに水が流れ込んだとしても、水の弾けもなくスムースに排水溝１２ｄに流れる。そのため、シロッコファン１５の回転による基板収納ケース２１内への水の流入を防止できる。また、吸気口１１ｂから吸引された空気の曲がり圧損がないため、吸気効率を上げることができる。
【００２４】
また、吸気ダクト１１ａのシロッコファン１５側の側板を傾斜させているので、材料の減量化が可能になっている。また、基板収納ケース２１内への水の流入を防止できるので、回路基板が故障するということがなく、調理器本体１の長寿命化を図ることが可能になる。さらに、吸気口１１ｂから吸引された空気の曲がり圧損がないため、冷却用ファン装置１１のエネルギー消費量を抑えることができる。
【００２５】
なお、実施の形態では、円筒状風路部１２ａの吸気口１１ｂと対向する面が内側にカーブしていることを述べたが、カーブに代えて傾斜面としてもよい。
【符号の説明】
【００２６】
１  調理器本体、２  本体ケース、３Ｒ、３Ｌ  上下仕切板、３ａ、３ｂ  切欠部、
４  水平仕切板、５  後部仕切板、５ａ  排気穴、６Ｒ  右冷却室、６Ｌ  左冷却室、
７  上部部品室、８  排気室、９  グリル加熱室、９ａ  グリル扉、９ｂ  排気ダクト、１１  冷却用ファン装置、１１ａ  吸気ダクト、１１ｂ  吸気口、１２  モーターケース、１２ａ  円筒状風路部、１２ｂ  開口部、１２ｃ  吸気部、１２ｄ  排水溝、１３  モーター、１３ａ  回転軸、１４  モーターケース、１４ａ  吸引風路部、１４ｂ  貫通穴、１４ｃ  吸気部、１４ｄ  板状のカバー、１４ｅ  支持部材、１４ｆ  モーター支持板、１４ｇ  傾斜部、１５  シロッコファン、２１  基板収納ケース、２２、２３  ケース、２２ａ  ファンカバー、２２ｂ  開口部、２２ｃ、２２ｄ  冷却空気排出口、２４  回路基板。
【図１】
2012028065.tif 000003
【図２】
2012028065.tif 000004
【図３】
2012028065.tif 000005
【図４】
2012028065.tif 000006